(57)【要約】【課題】薄型化を実現することができる表示装置を提供する。【解決手段】本実施形態の表示装置１は、表示ユニット２０と、表示ユニット２０を制御する回路基板３０と、前面１０ａと、前面１０ａと反対の面である背面１０ｂと、を有し、前面１０ａから表示ユニット２０を視認可能に収容するケース１０と、表示ユニット２０をケース１０内で支持する支持部５１と、支持部５１と連結する一端５４及び被固定部に固定される他端５５を有する背面１０ｂから突出する固定部５３と、を有するブラケット５０と、回路基板３０と接続され、音を出力するスピーカ４０と、スピーカ４０の音を放音する放音孔６５を有し、ケース１０から突出した固定部５３を覆う筒状のブラケットカバー６０と、を備える。スピーカ４０は、固定部５３とブラケットカバー６０との間に形成される空間７０に配置される。【選択図】図３
2020152140.tif 000002
【特許請求の範囲】
【請求項１】
表示部と、
前記表示部を制御する回路基板と、
前面と、前記前面と反対の面である背面と、を有し、前記前面から前記表示部を視認可能に収容するケースと、
前記表示部を前記ケース内で支持する支持部と、前記支持部と連結する一端及び被固定部に固定される他端を有する前記背面から突出する固定部と、を有する取付部材と、
前記回路基板と接続され、音を出力するスピーカと、
前記スピーカの音を放音する放音孔を有し、前記ケースから突出した前記固定部を覆う筒状のカバーと、を備え、
前記スピーカは、前記固定部と前記カバーとの間に形成される空間に配置される、表示装置。
【請求項２】
前記カバーを前記固定部の延びる方向に沿う軸に直交する面と直交し、前記軸を含む面で、前記表示装置の設置時における上方及び下方の２つの領域に二分した場合、前記カバーは、前記下方の領域に前記放音孔を有する、請求項１記載の表示装置。
【請求項３】
前記固定部及び前記カバーは、前記軸が前記下方に延びるよう前記背面に対して傾斜する、請求項２記載の表示装置。
【請求項４】
前記スピーカは、音を出力する出力孔が設けられる出力領域と前記出力領域の外縁側に位置する前記出力領域以外の外縁領域とを有する出力面と、前記出力面と対向する裏面とを有し、
前記カバーは、前記外縁領域で前記出力面と密着し、前記出力領域を前記カバーの内部から隔離する請求項１記載の表示装置。
【請求項５】
前記回路基板は、前記ケース内、又は前記固定部と前記カバーとの間に形成される空間に配置される、請求項１記載の表示装置。
【発明の詳細な説明】
【技術分野】
【０００１】
本開示は、車両等に搭載される表示装置に関する。
【背景技術】
【０００２】
自動車等の車両に搭載される表示装置は、警告音や運転者へのメッセージ等を出力するスピーカを有する。スピーカは、例えば、表示ユニットの背面に配置される硬質な回路基板に搭載される。
【先行技術文献】
【特許文献】
【０００３】
【特許文献１】特開２０１４−１７４０４３号公報
【発明の概要】
【発明が解決しようとする課題】
【０００４】
今日、表示装置の薄型化が求められており、その１つとして表示ユニット自体の薄型化が図られている。しかし、スピーカを搭載する回路基板は、表示装置を全体的に又は部分的に厚さ方向に膨らませてしまい、表示装置の商品価値を低減させていた。
【０００５】
本開示はこのような事情を考慮してなされたもので、薄型化を実現することができる表示装置を提供することを目的とする。
【課題を解決するための手段】
【０００６】
本開示の表示装置は、上述した課題を解決するために、表示部と、前記表示部を制御する回路基板と、前面と、前記前面と反対の面である背面と、を有し、前記前面から前記表示部を視認可能に収容するケースと、前記表示部を前記ケース内で支持する支持部と、前記支持部と連結する一端及び被固定部に固定される他端を有する前記背面から突出する固定部と、を有する取付部材と、前記回路基板と接続され、音を出力するスピーカと、前記スピーカの音を放音する放音孔を有し、前記ケースから突出した前記固定部を覆う筒状のカバーと、を備え、前記スピーカは、前記固定部と前記カバーとの間に形成される空間に配置される。
【発明の効果】
【０００７】
本開示の表示装置においては、薄型化を実現することができる。
【図面の簡単な説明】
【０００８】
【図１】本開示の表示装置の実施形態としての表示装置を正面側から見た外観図。
【図２】表示装置を下方から見た外観図。
【図３】図２のIII−III線に沿う断面図。
【図４】第１変形例としての表示装置の、図３に対応する断面図。
【図５】第２変形例としての表示装置の、図３に対応する断面図。
【発明を実施するための形態】
【０００９】
本開示の表示装置の実施形態を添付図面に基づいて説明する。本開示の表示装置は、例えば自動車や二輪車等の車両や、船舶、農業機械、建設機械に設置され搭載され得る。以下の説明においては、表示装置の設置先を単に「車両」という。
【００１０】
図１は、本開示の表示装置の実施形態としての表示装置１を正面側から見た外観図である。
図２は、表示装置１を下方から見た外観図である。
図３は、図２のIII−III線に沿う断面図である。
【００１１】
以下の説明において、「前（前面）」、「後（背面）」、「上」、「下」、「右」、及び「左」は、図１から図５における定義「Ｆｒ．」、「Ｒｅ．」、「Ｔｏ．」、「Ｂｏ．」、「Ｒ」、及び「Ｌ」に従う。
【００１２】
表示装置１は、車両のダッシュボード２内にビス等を用いて固定されることで、運転者に対して視認可能に設置される。
【００１３】
表示装置１は、ケース１０と、表示ユニット２０と、回路基板３０と、スピーカ４０と、ブラケット５０と、ブラケットカバー６０と、を主に有する。
【００１４】
ケース１０は、表示ユニット２０、回路基板３０等を収容し、外的衝撃や塵埃等からこれらを保護する。ケース１０は、黒色等の樹脂（例えばポリプロピレン）からなる。ケース１０は、開口１１と、ブラケット用孔１２と、を有する。開口１１は、表示ユニット２０の表示画面２１を前面１０ａ側から視認可能とする。ブラケット用孔１２は、ケース１０の背面１０ｂ側の例えば上下方向中心より下方に設けられ、ブラケット５０をケース１０の内部から外部へ突出させる。
【００１５】
開口１１は、保護カバー１５により覆われる。保護カバー１５は、透光性を有する板状部材（例えば無機ガラス、ポリカーボネート樹脂、又はポリメタクリル酸メチル樹脂（ＰＭＭＡ））である。保護カバー１５は、接着剤１４を介してケース１０に固定されることにより、ケース１０の内部の表示ユニット２０や回路基板３０を塵埃等から保護する。保護カバー１５は、外縁側に黒印刷１６を有する。黒印刷１６は、不要な内部構造をユーザに対して遮蔽すると同時に、内縁１６ａで表示ユニット２０の表示画面２１を区画する。保護カバー１５は、透光性接着剤１８により、表示ユニット２０の前面２０ａとオプティカルボンディングにより接着される。透光性接着剤１８は、保護カバー１５とほぼ同等の屈折率を有する、透明な樹脂材（例えばシリコーン系、ウレタン系、又はアクリル系樹脂）である。尚、透光性接着剤１８は、表示装置１の性能上不要であれば省略してもよい。
【００１６】
表示ユニット２０（表示部）は、表示パネルと、バックライトユニットと、を有する。
【００１７】
表示パネルは、例えばＴＦＴ（Thin Film Transistor）方式のノーマリーブラックタイプ（電圧非印加時、黒表示）の液晶表示パネルである。表示パネルは、液晶層を封入する一対の表面ガラス基板を有する。一対のガラス基板には、ＩＴＯ（Indium Tin Oxide）等により透明電極が形成される。また、表示パネルは、一対の表面ガラス基板を挟み込むように配置された一対の表面偏光板（偏光フィルタ）を有する。表示パネルは、図示しないフレキシブルプリント基板（ＦＰＣ（Flexible Printed Circuits））を介して、回路基板３０に接続される。表示パネルは、回路基板３０の制御部により制御されることにより、透明電極を介して液晶層に駆動電圧が印加される。これにより、液晶層の液晶分子の配向が制御され、表示パネルの個々の画素の透過率が変化することにより、表示パネルは画像を表示する。
【００１８】
バックライトユニットは、表示パネルの背面側に設けられる。バックライトユニットは、光源基板及び導光体からなり、表示パネルを背面側から照明する。光源基板は、光源の一例である複数のＬＥＤ（Light Emitting Diode）を実装する。光源基板は、ＦＰＣ等の可撓性基板３１を介して、回路基板３０と接続される。ＬＥＤは、駆動電流が供給されると、導光体に向けて光を出射する。導光体は、ＬＥＤが出射した光を表示パネルに向けて導く。導光体は、平板状に形成された、透明樹脂（例えばＰＭＭＡ）である。
【００１９】
また、表示ユニット２０は、ブラケット５０と連結するための支持部用ネジ止め構造２５を有する。支持部用ネジ止め構造２５は、ネジ２６を締めるためのネジ穴を有し、背面２０ｂから突出する筒状部材である。
【００２０】
回路基板３０は、表示ユニット２０及びスピーカ４０を制御するための制御部を主に有する。制御部は、ＣＰＵ（Central Processing Unit）、ＲＯＭ（Read Only Memory）、ＲＡＭ（Random Access Memory）等を有しており、例えば、ＲＯＭに書き込まれたプログラムに従って所定の演算処理を実行する。制御部は、例えば、車両のＥＣＵ（Electronic Control Unit）から車速、エンジン回転数、各種車両情報、ナビゲーション情報等を、各種センサ等を介して取得する。制御部は、取得した情報に基づき、表示ユニット２０に情報を表示させたり、スピーカ４０から音を出力したりする。
【００２１】
回路基板３０は、表示ユニット２０の背面２０ｂ側に、表示ユニット２０の背面２０ｂに平行に配置される。回路基板３０は、支持部用ネジ止め構造２５においてブラケット５０と共にネジ止めされることにより、表示ユニット２０に固定される。
【００２２】
スピーカ４０は、各種の車両情報を聴覚的に報知するため、音を出力する。車両情報は、例えば、シートベルトが未装着であることを示す警告情報や、ウインカーの動作に関する情報、カーナビ情報等である。スピーカ４０は、これらの情報を効果音や音声によって報知する。スピーカ４０は、一方の面が出力面４１であり、出力面４１と対向する面が裏面４５である。出力面４１は、例えば出力孔が設けられる出力領域４２と、出力領域４２の外縁側に位置し出力領域４２以外の領域である外縁領域４３とを有する。
【００２３】
スピーカ４０は、回路基板３０とケーブル４７で接続された状態で、回路基板３０から離れたブラケット５０に固定される。スピーカ４０の取付構造については後述する。
【００２４】
ブラケット５０（取付部材）は、表示装置１を被固定部の一例である車両のダッシュボード２内に取り付ける。ブラケット５０は、金属材料（例えばアルミニウム、マグネシウム等）からなる。ブラケット５０は、支持部５１と、固定部５３と、を有する。
【００２５】
支持部５１は、回路基板３０の背面３０ｂ側に、回路基板３０の背面３０ｂに平行に配置される板状部材である。支持部５１は、表示ユニット２０の支持部用ネジ止め構造２５でネジ２６によりネジ止めされることにより、表示ユニット２０と強固に固定される。これにより、支持部５１は表示ユニット２０をケース１０内で支持する。
【００２６】
固定部５３は、固定部５３の延びる方向に沿う軸５９方向（支持部５１の法線方向に対し、若干下方に傾いた方向）に延びる。固定部５３は、長方形断面を有し、上下方向を向く面が長方形断面の長辺に相当する棒状部材である。固定部５３は、支持部側端部５４と、車両側端部５５と、を有する。支持部側端部５４（一端）は、支持部５１の背面５１ｂに固定されて支持部５１に連結される。支持部側端部５４は、軸５９が車両側端部５５に向うにつれて下方に延びるよう、固定部５３が支持部５１に対して傾斜しており、上下方向断面視において支持部５１と固定部５３とが鋭角を成す。車両側端部５５は、ダッシュボード２内にビス等を用いて固定される。固定部５３は、ケース１０のブラケット用孔１２を貫通してケース１０の背面１０ｂから突出する。固定部５３は、スピーカ４０を固定部５３に取り付けるためのスピーカ用ネジ止め構造５６を有する。スピーカ用ネジ止め構造５６は、ネジ５７を締めるためのネジ穴を有し、固定部５３の外表面５３ａから略下方に突出する筒状部材である。
【００２７】
ブラケットカバー６０（カバー）は、固定部５３（取付部材）の外表面５３ａを覆い、軸５９の方向に延びる。ブラケットカバー６０は、楕円形断面を有する筒状のカバーである。固定部５３及びブラケットカバー６０は共に、軸５９が下方に延びるよう、ケース１０の背面１０ｂに対して傾斜する。ブラケットカバー６０は、黒色等の樹脂（例えばポリプロピレン）からなる。ブラケットカバー６０は、上カバー６１及び下カバー６２が組み合わされることにより、固定部５３に取り付けられる。上カバー６１及び下カバー６２は、例えば軸５９に直交する面と直交し、且つ軸５９を含む面で分割される。下カバー６２は、スピーカ４０の音を放音する放音孔６５を有する。放音孔６５は、図２に示すように複数本のスリットであり、スピーカ４０の出力領域４２に対応して形成される。放音孔６５は、下カバー６２の下方を向く部分、すなわち、図３の上下方向の断面図において、断面として現れる部分に設けられるのが好ましい。また、放音孔６５は、運転者に視認させたくないため、ケース１０の背面１０ｂと対向する位置に設けられるのが好ましい。尚、放音孔６５の形状は、スリットに限らず、一つ又は複数の円孔等の他の形状であってもよい。
【００２８】
次に、スピーカ４０の取付構造について、詳細に説明する。
【００２９】
スピーカ４０は、出力面４１を略下方に向け、裏面４５を略上方に向けた状態で、固定部５３とブラケットカバー６０との間に形成される空間７０に配置される。具体的には、スピーカ４０は、固定部５３のスピーカ用ネジ止め構造５６に対して、ネジ５７により固定部５３に固定される。裏面４５は、固定部５３の外表面５３ａに対向する。出力面４１の出力領域４２は、下カバー６２の放音孔６５から下カバー６２の外部に露出する。下カバー６２は、放音孔６５の外縁に、ブラケットカバー６０の内部方向に立ち上がる立ち上がり部６７を有する。立ち上がり部６７は、スピーカ４０の出力面４１の外縁領域４３で出力面４１とパッキン６６を介して密着する。下カバー６２は、出力領域４２をブラケットカバー６０の内部から隔離する。これにより、出力領域４２から出力される音は、運転者側の車両空間へ効率的に伝わる。
【００３０】
また、スピーカ４０の出力領域４２と裏面４５とは、ブラケットカバー６０により隔離される。このため、ブラケットカバー６０、ケース１０及び保護カバー１５で密閉された空間は、スピーカ４０のバックキャビティとして作用する。このため、表示装置１は、商品性を損なうことなく、スピーカ４０の所要の音圧を確保できる。
【００３１】
このような表示装置１は、ケース１０の前後方向の厚みを薄型化できる。すなわち、スピーカ４０をブラケット５０に取り付けた。これにより、ケース１０の前後方向の厚みは、表示ユニット２０、回路基板３０及び固定部５３により決定され、スピーカ４０を回路基板３０の面上に搭載する場合に比べて、薄型化できる。
【００３２】
また、表示装置１は、スピーカ４０の出力面４１が下方を向くよう、放音孔６５を下カバー６２の下方に設けた。すなわち、ブラケットカバー６０を、固定部５３の軸５９に直交する面と直交し、且つ軸５９を含む面で、上方及び下方の２つの領域に二分した場合、放音孔６５を下方の領域（下カバー６２）に設けた。また、ブラケットカバー６０は、下方に傾斜するため、下方の領域はケース１０の背面１０ｂ側に隠れる。このため、放音孔６５がユーザの視野に入りにくく、ユーザに対してはシームレス感を与え、その結果、表示装置１の商品性を向上させることができる。
【００３３】
本開示ではいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【００３４】
例えば、放音孔６５を下カバー６２に設ける例を説明したが、上カバー６１側に設けてもよい。また、ブラケットカバー６０においては、上カバー６１及び下カバー６２の分割位置は固定部５３の延びる方向に沿う軸５９に直交する面と直交し、且つ軸５９を含む面に限らず異なる位置であってもよい。ブラケットカバー６０は、３部品以上に分割されてもよい。
【００３５】
また、図４は、第１変形例としての表示装置１ａの、図３に対応する断面図である。本開示の表示装置は、表示装置１ａのように、回路基板３０を固定部５３とブラケットカバー６０との間に形成される空間７０に配置してもよい。これにより、表示装置１ａは、ケース１０の前後方向の厚みから回路基板３０の厚み分を低減でき、より薄型化できる。この場合、表示ユニット２０の支持部用ネジ止め構造２５を省略し、表示ユニット２０の背面２０ｂに支持部５１の前面５１ａを、両面テープや接着剤等により直接固定してもよい。これにより、表示装置１ａは、ケース１０の前後方向の厚みを更に低減できる。
【００３６】
また、図４の表示装置１ａを更に変形させ、回路基板３０を固定部５３の下方に固定し、回路基板３０に実装タイプのスピーカを配置してもよい。この場合の放音孔６５を含むブラケットカバー６０の構成は、表示装置１ａと略同様である。
【００３７】
さらに、図５は、第２変形例としての表示装置１ｂの、図３に対応する断面図である。本開示の表示装置１は、表示装置１ｂのように、スピーカ用ネジ止め構造６９をブラケットカバー６０に設け、スピーカ４０をブラケットカバー６０に取り付けてもよい。
【符号の説明】
【００３８】
１、１ａ、１ｂ  表示装置
２  ダッシュボード
１０  ケース
１０ｂ  背面
１１  開口
１２  ブラケット用孔
１５  保護カバー
１６  黒印刷
１６ａ  内縁
１８  透光性接着剤
２０  表示ユニット
２０ａ  前面
２０ｂ  背面
２１  表示画面
２５  支持部用ネジ止め構造
２６  ネジ
３０  回路基板
３０ｂ  背面
３１  可撓性基板
４０  スピーカ
４１  出力面
４２  出力領域
４３  外縁領域
４５  裏面
４７  ケーブル
５０  ブラケット
５１  支持部
５１ｂ  背面
５３  固定部
５３ａ  外表面
５４  支持部側端部
５５  車両側端部
５６  スピーカ用ネジ止め構造
５７  ネジ
５９  軸
６０  ブラケットカバー
６１  上カバー
６２  下カバー
６５  放音孔
６６  パッキン
６７  立ち上がり部
７０  空間
【図１】
2020152140.tif 000003
【図２】
2020152140.tif 000004
【図３】
2020152140.tif 000005
【図４】
2020152140.tif 000006
【図５】
2020152140.tif 000007